(57)【要約】【課題】床の開口作業を簡便に行わせる。【解決手段】ロープ穴８ａ，８ｂに玉掛けワイヤー２２が通された床４の開口位置６を囲むように装置を設置する。ウィンチ１６先端のフック１８に玉掛けワイヤー２２を引っ掛けることで開口位置６部分の床を仮吊りした後、開口位置６の周囲をコンクリートカッター２０で切断する。そして、床４から完全に切り離されると、その切り離された床部材を、ウィンチ１６で吊り上げ、トロリー１４を長尺のトロリービーム１２に沿って水平移動させることによって開口位置から落下させない安全な位置まで移動させる。【選択図】図５
2006090042.tif 000002
【特許請求の範囲】
【請求項１】
床の開口位置を囲むように立設する門型フレームと、
床の開口位置の周囲を切断することで開口部を形成する切断手段と、
前記門型フレームの前記開口位置上方部分に配設され、前記切断手段により床から切り離された開口位置の床部材を吊り上げると共に、その床部材を吊り上げた状態で開口部上方から他の位置まで水平移動させる移動手段と、
を有することを特徴とする床開口装置。
【請求項２】
前記移動手段は、
前記切断手段により床から切り離された開口位置の床部材を吊り上げる吊り上げ部と、
前記吊り上げ部が連結されたトロリーと、
床と略平行になるように前記門型フレームに固着され、開口部上方から他の位置まで水平移動可能に前記トロリーを垂設するトロリービームと、
を有することを特徴とする請求項１記載の床開口装置。
【請求項３】
床の開口位置を囲むように門型フレーム構造の床開口装置を設置する設置工程と、
前記床開口装置に設けられた吊り上げ部に、床の開口位置を連結し仮吊りする仮吊り工程と、
床の開口位置の周囲を切断することで開口部を形成する切断工程と、
前記切断工程により床から切り離された開口位置の床部材を吊り上げると共に、その床部材を吊り上げた状態で開口部上方から他の位置まで水平移動させる移動工程と、
を有することを特徴とする床開口方法。
【発明の詳細な説明】
【技術分野】
【０００１】
本発明は、床開口装置及び方法、特に床の上からその床に開口部を簡便に設ける手法に関する。
【背景技術】
【０００２】
エレベーターの新設もしくは入替えの際には、巻上機や制御盤等をエレベーター機械室に搬入する必要がある。この搬入のための一手法として、機械室のコンクリート構造床に開口部を設け、昇降路を介して巻上機等を機械室に搬入する方法がある。ただ、ハンドドリルを用いて機械室の床に開口部を設ける方法だと、多量の粉砕片の発生、振動音による騒音、作業時間等様々な点で問題が生じてくる。そこで、従来では、機械室天井に連結された複数個の吊り具を開口部分の床に取り付け、吊り具１個につき１個の小ブロック片となるように開口部分の床をコンクリートカッターで切断する。このように、床の切断手段としてコンクリートカッターを用い、床部材を小ブロック片化し、また吊り具を用いて小ブロック片の落下を防止することによって安全で作業効率の良い開口方法が提案されている（特許文献１参照）。
【０００３】
【特許文献１】特開平７−２７９４４４号公報
【発明の開示】
【発明が解決しようとする課題】
【０００４】
しかしながら、従来においては、開口位置部分の床を複数個にブロック分けする必要があったため、複数個の吊り具の取付作業や小ブロック片への切断作業等に多大な時間を要していた。
【０００５】
また、小ブロック片の落下防止のために機械室の天井にアンカーボルトを打ち込む必要があるので、機械室の天井構造上、アンカーボルトを打ち込めなければ、この方法は利用できない。また、アンカーボルトの打込みにより天井に設けられた防水層を破損させてしまう可能性があった。
【０００６】
本発明は、以上のような課題を解決するためになされたものであり、その目的は、床の開口作業を簡便に行うことのできる床開口装置及び方法を提供することにある。
【課題を解決するための手段】
【０００７】
以上のような目的を達成するために、本発明に係る床開口装置は、床の開口位置を囲むように立設する門型フレームと、床の開口位置の周囲を切断することで開口部を形成する切断手段と、前記門型フレームの前記開口位置上方部分に配設され、前記切断手段により床から切り離された開口位置の床部材を吊り上げると共に、その床部材を吊り上げた状態で開口部上方から他の位置まで水平移動させる移動手段とを有することを特徴とする。
【０００８】
また、前記移動手段は、前記切断手段により床から切り離された開口位置の床部材を吊り上げる吊り上げ部と、前記吊り上げ部が連結されたトロリーと、床と略平行になるように前記門型フレームに固着され、開口部上方から他の位置まで水平移動可能に前記トロリーを垂設するトロリービームとを有することを特徴とする。
【０００９】
本発明に係る床開口方法は、床の開口位置を囲むように門型フレーム構造の床開口装置を設置する設置工程と、前記床開口装置に設けられた吊り上げ部に、床の開口位置を連結し仮吊りする仮吊り工程と、床の開口位置の周囲を切断することで開口部を形成する切断工程と、前記切断工程により床から切り離された開口位置の床部材を吊り上げると共に、その床部材を吊り上げた状態で開口部上方から他の位置まで水平移動させる移動工程とを有することを特徴とする。
【発明の効果】
【００１０】
本発明によれば、門型フレームを床の開口位置を囲むように設置し、床から切り離された床部材を吊り上げ水平移動できる構成としたので、開口位置部分の床をブロック分けしたり、天井にアンカーボルトを打ち込むなどの作業が不要になる。これにより、床開口作業の負荷及び作業時間を削減することができる。また、天井に何もせずに開口位置部分の床を吊り上げられる構造としたので、開口位置上方の天井の構造に制限されることなく床の開口作業を行うことができる。
【発明を実施するための最良の形態】
【００１１】
以下、図面に基づいて、本発明の好適な実施の形態について説明する。
【００１２】
図１は、本発明に係る床開口装置の一実施の形態を示した側面図であり、図２は、この床開口装置の全体斜視図であり、エレベーターの機械室内に設置された状態が示されている。本実施の形態における床開口装置は、エレベーターの昇降路２の天井に相当する機械室の床４に開口部を設けるため、門型揚架装置１０をその開口部を形成する開口位置６を囲むような位置に立設する。なお、図２では、開口位置６を便宜的に波線で示した。門型揚架装置１０は、図から明らかなように、４本の脚で立設する門型のフレーム構造を有している。この門型揚架装置１０の開口位置６の上方部分には、断面をエの字形状とした棒状のトロリービーム１２が固着されており、垂設したトロリー１４を水平移動させることができる。トロリー１４には、開口位置６部分の床を吊り上げるウィンチ１６が取り付けられ、このウィンチ１６から懸垂状態のロープ先端には、フック１８が取り付けられている。開口位置６部分の床には、既設のエレベーターかごを吊していたロープが通されていたロープ穴８ａ，８ｂが開いている。なお、床の開口作業時点では、エレベーターかごは取り除かれているためロープ穴８ａ，８ｂを開口作業の際に利用することができる。トロリービーム１２は、ウィンチ１６により吊り上げられた開口位置６の床部材を、開口位置６から開口されていない他の位置まで移動できるように少なくとも一端側を門型揚架装置１０から突設させている。更に、床を切断するコンクリートカッター２０が機械室に搬入されている。
【００１３】
次に、本実施の形態における床開口装置の作用について図３に示したフローチャートに従い説明する。
【００１４】
まず、ロープ穴８ａ，８ｂに玉掛けワイヤー２２を通す（ステップ１０１）。そして、機械室に搬入した部材を組み立てることによって前述した構造の床開口装置を開口位置６に設置する（ステップ１０２）。なお、ステップ１０１とステップ１０２の順番は逆でもよい。続いて、図４に示したように玉掛けワイヤー２２をフック１８に引っ掛けることで連結した後、ウィンチ１６で開口位置６部分の床を仮吊りする（ステップ１０３）。そして、図５に示したように、開口位置６の周囲、具体的には開口位置６を便宜的に示した波線に沿ってコンクリートカッター２０で切断する（ステップ１０４）。この切断作業によって開口位置６部分の床を機械室の床４と切り離す。なお、開口位置６部分の床は、ウィンチ１６により仮吊りされていたので、昇降路２に落下することはない。
【００１５】
開口位置６部分の床が機械室の床４から完全に切り離されると、ウィンチ１６で少なくとも床４の厚み分、ロープを巻き上げる。そして、図６では矢印Ａで示したように、開口位置部分において床を形成していた床部材４ａを、開口部から床部材４ａを落下させない安全な位置までトロリー１４を水平移動させる（ステップ１０５）。
【００１６】
以上のようにして、機械室の床４に開口部２４を形成することができる。本実施の形態によれば、開口位置部分の床をブロック分けする必要がないため、複数個の吊り具の取付作業や小ブロック片への切断作業等が不要であり、作業負荷及び作業時間を削減することができる。また、機械室の天井２６にアンカーボルトを打ち込む必要もないため、機械室の天井２６の構造によって床の開口位置６に制限を受けない。また、天井２６に設けられた防水層を破損させることもない。
【００１７】
この後、床部材４ａは、機械室内において破砕されて外へ運び出されるが、この開口位置にあった床部材４ａの破砕作業を開口位置上方で行わないため、破砕片を昇降路２内に落下させることもない。このため、破砕片防止のために昇降路内に足場を形成する必要もなくなる。
【００１８】
なお、一般に開口部の形状を正方形とすることを想定し、本実施の形態では、門型揚架装置１０も開口部形状に合わせて上方から見たときの形状を正方形とした。また、本実施の形態の特徴でもある床部材４ａの水平移動を明確に示すために、図２等に図示したようにトロリービーム１２を門型揚架装置１０から突設したように構成した。しかしながら、本実施の形態では、床部材４ａを開口位置６から外れた位置まで水平移動できればよく、トロリービーム１２を門型揚架装置１０から必ずしも突設させる必要はない。図７には、図２等とは異なる、門型揚架装置１０とトロリービーム１２との大きさの関係を示した。図７に例示したように、設置時における門型揚架装置１０は図２等と比較して大きくなるが、門型揚架装置１０の長さをトロリービーム１２の長さに近づける、若しくは図７のように一致させるようにすることで、床部材４ａの移動時におけるバランスをより安定させることができる。
【００１９】
また、つるべ式のエレベーター装置であれば、昇降路の天井にロープ穴が必ず穿孔される。本実施の形態では、このロープ穴８ａ，８ｂを有効に利用して床部材４ａを吊り上げるようにした。もし、ロープ穴が不要なエレベーター装置の新設若しくは既設の入替えの場合には、玉掛けワイヤーを通すための穴開け工程を設ければよい。なお、前述したように、本実施の形態では、床部材４ａを吊り上げてから水平移動させるので、水平移動の便宜のために床部材４ａがほぼ水平状態になるように吊り上げることが好ましい。従って、穴を３箇所以上設けてバランスをより保ちやすくしてもよい。既存のロープ穴８ａ，８ｂを利用する場合でも補助的に穴を設けるようにしてもよい。また、従来例のように１乃至複数の吊り具を床部材４ａに取り付けるようにしてもよい。
【００２０】
本実施の形態では、エレベーターの機械室の床に開口部を設ける場合を例にして説明したが、エレベーター装置の機械室の床に限定することなく他の場所の床に開口部を設ける場合にも適用することができる。
【図面の簡単な説明】
【００２１】
【図１】本発明に係る床開口装置の一実施の形態を示した側面図である。
【図２】図１に示した床開口装置の全体斜視図である。
【図３】本実施の形態における床開口装置の作用を示したフローチャートである。
【図４】本実施の形態における床開口作業において玉掛けワイヤーをフックに引っ掛けた状態を示した図である。
【図５】本実施の形態における床開口作業においてコンクリートカッターを用いて床を切断するときの状態を示した図である。
【図６】本実施の形態における床開口作業において開口位置の床部材を水平移動させるときの状態を示した図である。
【図７】本実施の形態における門型揚架装置の変形例を示した図である。
【符号の説明】
【００２２】
２  昇降路、４  床、４ａ  床部材、６  開口位置、８ａ，８ｂ  ロープ穴、１０  門型揚架装置、１２  トロリービーム、１４  トロリー、１６  ウィンチ、１８  フック、２０  コンクリートカッター、２２  玉掛けワイヤー、２４  開口部、２６  天井。
【図１】
2006090042.tif 000003
【図２】
2006090042.tif 000004
【図３】
2006090042.tif 000005
【図４】
2006090042.tif 000006
【図５】
2006090042.tif 000007
【図６】
2006090042.tif 000008
【図７】
2006090042.tif 000009